【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
放射線を検出する複数のセンサが配列されたセンサアレイと、
前記複数のセンサからの信号に基づく画像データを前記センサアレイから読み出す読出部であって、第１期間で１フレーム分の画像データを読み出す第１モードと、前記第１期間よりも短い第２期間で１フレーム分の画像データを読み出す第２モードとを動作モードとして含む読出部と、
前記画像データを保持する保持部と、
制御部と、を備え、
前記制御部は、
前記第２モードについてのオフセットデータとして前記保持部に保持させるために、前記センサアレイに対する放射線の照射が終了した後、前記センサアレイに放射線が照射されていない状態の該センサアレイから前記読出部により前記第２モードで画像データを読み出させる第１制御と、
前記第１モードについてのオフセットデータとして前記保持部に保持させるために、前記第１制御の後に、前記センサアレイに放射線が照射されていない状態の該センサアレイから前記読出部により前記第１モードで画像データを読み出させる第２制御と、
を行う
ことを特徴とする放射線撮像装置。
【請求項２】
前記第１制御は、
前記センサアレイに対する放射線の照射が終了した後、前記センサアレイに放射線が照射されていない状態で該センサアレイから前記読出部により前記第２モードで画像データを読み出しながら、該読み出された画像データにおける残像が許容範囲内か否かをモニタする第１サブ制御と、
前記第１サブ制御において残像が前記許容範囲内になった画像データを、前記第２モードについてのオフセットデータとして前記保持部に保持させる第２サブ制御と、
を含み、
前記第２制御は、
前記第１制御の後に、前記センサアレイに放射線が照射されていない状態で該センサアレイから前記読出部により前記第１モードで画像データを読み出しながら、該読み出された画像データにおける残像が前記許容範囲内か否かをモニタする第３サブ制御と、
前記第３サブ制御において残像が前記許容範囲内になった画像データを、前記第１モードについてのオフセットデータとして前記保持部に保持させる第４サブ制御と、
を含む
ことを特徴とする請求項１に記載の放射線撮像装置。
【請求項３】
放射線を受けた前記センサアレイから前記読出部により前記第１モードおよび前記第２モードの一方で読み出された画像データに対して、前記保持部に保持されたオフセットデータのうち前記一方の動作モードについてのものを用いて補正処理を行う処理部をさらに備える
ことを特徴とする請求項２に記載の放射線撮像装置。
【請求項４】
前記センサアレイは、基板上に配列された複数のセンサであって各々が放射線を検出するための検出素子と該検出素子に接続されたトランジスタとを有する複数のセンサを含んでおり、
前記制御部は、前記トランジスタを非導通状態にして前記検出素子で電荷を蓄積した後に前記トランジスタを導通状態にして該蓄積された電荷を出力させ、前記読出部は、前記出力された電荷の量に応じた画像データを読み出し、
前記第２モードでの電荷の蓄積時間は、前記第１モードでの電荷の蓄積時間よりも短い  ことを特徴とする請求項２または請求項３に記載の放射線撮像装置。
【請求項５】
前記制御部は、前記第１サブ制御から前記第２サブ制御までの動作および前記第３サブ制御から前記第４サブ制御までの動作のそれぞれにおいて、
前記センサアレイに放射線が照射されていない状態で該センサアレイから前記読出部により画像データを読み出させる第１動作と、
前記第１動作で得られた画像データを構成する信号値のそれぞれが所定の基準を満たす場合には該画像データをオフセットデータとして採用し、該画像データを構成する信号値のそれぞれが前記所定の基準を満たさない場合には再び前記第１動作を行う
ことを特徴とする請求項２から請求項４のいずれか１項に記載の放射線撮像装置。
【請求項６】
前記オフセットデータを前記保持部に保持することは、該オフセットデータで既に前記保持部に保持されているオフセットデータを更新することを含む
ことを特徴とする請求項１から請求項５のいずれか１項に記載の放射線撮像装置。
【請求項７】
前記制御部は、所定条件を満たした場合に、前記保持部に保持されたオフセットデータを更新する
ことを特徴とする請求項６に記載の放射線撮像装置。
【請求項８】
前記所定条件は、前記保持部にオフセットデータを保持したとき又は前記保持部のオフセットデータを最後に更新したときから所定時間が経過することを含む
ことを特徴とする請求項７に記載の放射線撮像装置。
【請求項９】
温度計測部をさらに備えており、
前記所定条件は、前記保持部にオフセットデータを保持したとき又は前記保持部のオフセットデータを最後に更新したときからの前記温度計測部の計測値の変化量が所定値よりも大きくなることを含む
ことを特徴とする請求項７または請求項８に記載の放射線撮像装置。
【請求項１０】
前記温度計測部は、前記センサアレイ及び／又はその近傍に配されている
ことを特徴とする請求項９に記載の放射線撮像装置。
【請求項１１】
前記読出部は、前記第１モードおよび前記第２モード並びにそれらと異なる他のモードを含む３以上のモードを動作モードとして含んでおり、
前記制御部は、前記読出部により、前記３以上のモードのうち１フレーム分の画像データを読み出すのに必要な期間が短いものから順に各動作モードでオフセットデータを読み出し、該読み出されたオフセットデータを前記保持部に保持させる
ことを特徴とする請求項１から請求項１０のいずれか１項に記載の放射線撮像装置。
【請求項１２】
前記センサアレイは、基板上に配列された複数のセンサを含み、
１フレーム分の画像データを読み出すのに必要な期間が互いに等しいモードが２以上あり、それらの各センサからの信号のビニング数が互いに異なる場合には、前記制御部は、該２以上のモードのいずれについてのオフセットデータを先に読み出すかを、前記ビニング数に基づいて決定する
ことを特徴とする請求項１１に記載の放射線撮像装置。
【請求項１３】
１フレーム分の画像データを読み出すのに必要な期間が互いに等しいモードが２以上あり、それらの前記読出部での信号増幅率が互いに異なる場合には、前記制御部は、該２以上のモードのいずれについてのオフセットデータを先に読み出すかを、前記信号増幅率に基づいて決定する
ことを特徴とする請求項１１または請求項１２に記載の放射線撮像装置。
【請求項１４】
前記センサアレイは、基板上に配列された複数のセンサを含み、
１フレーム分の画像データを読み出すのに必要な期間が互いに等しいモードが２以上あり、それらの前記複数のセンサのうち信号の読出対象となるセンサの数が互いに異なる場合には、前記制御部は、該２以上のモードのいずれについてのオフセットデータを先に読み出すかを、前記信号の読出対象となるセンサの数に基づいて決定する
ことを特徴とする請求項１１から請求項１３のいずれか１項に記載の放射線撮像装置。
【請求項１５】
前記センサアレイは、基板上に配列された複数のセンサを含み、
１フレーム分の画像データを読み出すのに必要な期間が互いに等しいモードが２以上ある場合において、
前記制御部は、該２以上のモードのいずれについてのオフセットデータを先に読み出すかを、
該２以上のモード間で各センサからの信号のビニング数が互いに異なるときには、前記ビニング数に基づいて決定し、
該２以上のモード間で前記ビニング数が互いに等しく且つ前記読出部での信号増幅率が互いに異なるときには、前記信号増幅率に基づいて決定し、
該２以上のモード間で前記ビニング数および前記信号増幅率の双方が互いに等しく且つ前記複数のセンサのうち信号の読出対象となるセンサの数が互いに異なるときには、前記信号の読出対象となるセンサの数に基づいて決定する
ことを特徴とする請求項１１に記載の放射線撮像装置。
【請求項１６】
放射線を検出する複数のセンサが配列されたセンサアレイと、前記複数のセンサからの信号に基づく画像データを前記センサアレイから読み出す読出部と、前記画像データを保持する保持部と、を備える放射線撮像装置の制御方法であって、
前記読出部は、第１期間で１フレーム分の画像データを読み出す第１モードと、前記第１期間よりも短い第２期間で１フレーム分の画像データを読み出す第２モードとを動作モードとして含んでおり、
前記放射線撮像装置の制御方法は、
前記第２モードについてのオフセットデータとして前記保持部に保持させるために、前記センサアレイに対する放射線の照射が終了した後、前記センサアレイに放射線が照射されていない状態で該センサアレイから前記読出部により前記第２モードで画像データを読み出させる第１工程と、
前記第１モードについてのオフセットデータとして前記保持部に保持させるために、前記第１工程の後に、前記センサアレイに放射線が照射されていない状態で該センサアレイから前記読出部により前記第１モードで画像データを読み出させる第２工程と、を含む
ことを特徴とする放射線撮像装置の制御方法。
【手続補正２】
【補正対象書類名】明細書
【補正対象項目名】０００７
【補正方法】変更
【補正の内容】
【０００７】
本発明の一つの側面は放射線撮像装置にかかり、前記放射線撮像装置は、放射線を検出する複数のセンサが配列されたセンサアレイと、前記複数のセンサからの信号に基づく画像データを前記センサアレイから読み出す読出部であって、第１期間で１フレーム分の画像データを読み出す第１モードと、前記第１期間よりも短い第２期間で１フレーム分の画像データを読み出す第２モードとを動作モードとして含む読出部と、前記画像データを保持する保持部と、制御部と、を備え、前記制御部は、前記第２モードについてのオフセットデータとして前記保持部に保持させるために、前記センサアレイに対する放射線の照射が終了した後、前記センサアレイに放射線が照射されていない状態の該センサアレイから前記読出部により前記第２モードで画像データを読み出させる第１制御と、前記第１モードについてのオフセットデータとして前記保持部に保持させるために、前記第１制御の後に、前記センサアレイに放射線が照射されていない状態の該センサアレイから前記読出部により前記第１モードで画像データを読み出させる第２制御と、を行うことを特徴とする。